(57)【要約】【課題】電子下敷であって、電子ペーパの表示コンテンツに、当該電子ペーパを載せた電子下敷に応じた追記データを再表示させることを可能にする。【解決手段】電子下敷12Bにおいて、タブレット14に装着された電子ペーパ11Bに任意のコンテンツが表示された状態で、手書き入力(又は入力装置24からの文字入力)が検出され、その手書きデータ(又は文字データ)が前記表示中のコンテンツ上に追記データとして重畳表示されると、電子ペーパ11Bに表示されたコンテンツのIDに対応付けられて前記追記データとその位置情報が情報記憶装置30の電子ペーパ管理テーブル(下敷)に登録される。新たに電子ペーパ11Bの装着が検出された際、電子ペーパ11Bに表示されたコンテンツのIDに対応付けられた追記データが前記管理テーブル(下敷)に登録されている場合、当該追記データとその位置情報が読み出され、表示されたコンテンツ上に重畳されて再表示される。【選択図】図７
2014049033.tif 000002
【特許請求の範囲】
【請求項１】
電子ペーパが着脱自在に装着される電子下敷装置であって、
電子ペーパが装着されたことを検出するペーパ検出手段と、
このペーパ検出手段により検出されている電子ペーパに任意のコンテンツの表示データが表示されている状態で、ユーザ操作位置に応じたデータを追記データとして前記電子ペーパに表示されている表示データ上に重畳して表示させる追記重畳表示制御手段と、
この追記重畳表示制御手段により前記電子ペーパに表示されている表示データ上に重畳して表示された追記データとその位置情報とを当該表示データのコンテンツＩＤに対応付けて記憶する追記データ記憶手段と、
前記ペーパ検出手段により電子ペーパが新たに装着されたことが検出された際に、当該電子ペーパに表示された表示データのコンテンツＩＤに対応付けられた追記データが前記追記データ記憶手段により記憶されているか否かを判断する追記有無判断手段と、
この追記有無判断手段により前記表示データのコンテンツＩＤに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、
を備えたことを特徴とする電子下敷装置。
【請求項２】
電子ペーパが着脱自在に装着される電子下敷装置であって、
電子ペーパが装着されたことを検出するペーパ検出手段と、
このペーパ検出手段により検出されている電子ペーパに任意のコンテンツの表示データが表示されている状態で、ユーザ操作位置に応じたデータを追記データとして前記電子ペーパに表示されている表示データ上に重畳して表示させる追記重畳表示制御手段と、
この追記重畳表示制御手段により前記電子ペーパに表示されている表示データ上に重畳して表示された追記データとその位置情報とを当該電子ペーパのペーパＩＤに対応付けて記憶する追記データ記憶手段と、
前記ペーパ検出手段により電子ペーパが新たに装着されたことが検出された際に、当該電子ペーパのペーパＩＤに対応付けられた追記データが前記追記データ記憶手段により記憶されているか否かを判断する追記有無判断手段と、
この追記有無判断手段により前記ペーパＩＤに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、
を備えたことを特徴とする電子下敷装置。
【請求項３】
前記ペーパ検出手段により検出されている電子ペーパ上でのユーザ操作に応じた操作位置を検出する操作位置検出手段を備え、
前記追記重畳表示制御手段は、前記操作位置検出手段により検出された電子ペーパ上でのユーザ操作位置に応じたデータを追記データとして当該電子ペーパに表示されている表示データ上の該当する位置に重畳して表示させる、
ことを特徴とする請求項１または請求項２に記載の電子下敷装置。
【請求項４】
前記追記データ記憶手段は、前記追記重畳表示制御手段により前記電子ペーパに表示されている表示データ上に重畳して表示された追記データとその位置情報とを、前記操作位置検出手段により検出された電子ペーパ上でのユーザ操作位置に応じて記憶する、
ことを特徴とする請求項３に記載の電子下敷装置。
【請求項５】
前記ペーパ検出手段により電子ペーパが新たに装着されたことが検出された際に、当該新たに装着された電子ペーパには予め表示データが表示されている、
ことを特徴とする請求項１または請求項２に記載の電子下敷装置。
【請求項６】
前記ペーパ検出手段により検出されている電子ペーパに任意のコンテンツの表示データが表示されている状態で、本電子下敷装置の下敷ＩＤと電子ペーパのペーパＩＤと当該表示データとを対応付けて外部接続されるサーバ装置へ送信して登録させる表示データ登録手段と、
前記ペーパ検出手段により電子ペーパが新たに装着されたことが検出された際に、本電子下敷装置の下敷ＩＤと当該電子ペーパのペーパＩＤとを前記サーバ装置へ送信するＩＤ送信手段と、
このＩＤ送信手段により送信された前記下敷ＩＤとペーパＩＤとに対応付けられて前記サーバ装置に登録されている表示データを受信する登録データ受信手段と、
この登録データ受信手段により受信された表示データを前記新たに装着された電子ペーパに表示させる登録データ表示制御手段とを備えた、
ことを特徴とする請求項１または請求項２に記載の電子下敷装置。
【請求項７】
電子ペーパが着脱自在に装着される電子下敷装置であって、
電子ペーパが装着されたことを検出するペーパ検出手段と、
このペーパ検出手段により検出されている電子ペーパに複数のコンテンツの何れかの表示データを表示させるデータ表示制御手段と、
このデータ表示制御手段により前記電子ペーパに任意のコンテンツの表示データが表示されている状態で、ユーザ操作位置に応じたデータを追記データとして前記電子ペーパに表示されている表示データ上に重畳して表示させる追記重畳表示制御手段と、
この追記重畳表示制御手段により前記電子ペーパに表示されている表示データ上に重畳して表示された追記データとその位置情報とを当該電子ペーパのペーパＩＤと表示データのコンテンツＩＤとに対応付けて記憶する追記データ記憶手段と、
前記ペーパ検出手段により電子ペーパが新たに装着されたことが検出された際に、前記データ表示制御手段により当該電子ペーパに表示された表示データのコンテンツＩＤと同電子ペーパのペーパＩＤとに対応付けられた追記データが前記追記データ記憶手段により記憶されているか否かを判断する追記有無判断手段と、
この追記有無判断手段により前記表示データのコンテンツＩＤと前記電子ペーパのペーパＩＤとに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、
を備えたことを特徴とする電子下敷装置。
【請求項８】
電子下敷に着脱自在に装着され任意のコンテンツの表示データを表示する電子ペーパであって、
電子下敷に装着されたことを検出する下敷検出手段と、
この下敷検出手段により電子下敷に装着されたことが検出され任意のコンテンツの表示データが表示されている状態で、ユーザ操作位置に応じたデータを追記データとして前記表示されている表示データ上に重畳して表示させる追記重畳表示制御手段と、
この追記重畳表示制御手段により前記表示データ上に重畳して表示された追記データとその位置情報とを前記下敷検出手段により検出された電子下敷の下敷ＩＤに対応付けて記憶する追記データ記憶手段と、
前記下敷検出手段により電子下敷に新たに装着されたことが検出された際に、当該電子下敷の下敷ＩＤに対応付けられた追記データが前記追記データ記憶手段により記憶されているか否かを判断する追記有無判断手段と、
この追記有無判断手段により前記電子下敷の下敷ＩＤに対応付けられた追記データが記憶されていると判断された場合に、当該追記データとその位置情報とを読み出し同追記データを本電子ペーパに表示されている表示データ上の該当する位置に重畳して再表示させる追記重畳再表示制御手段と、
を備えたことを特徴とする電子ペーパ。
【請求項９】
前記追記データ記憶手段は、前記追記重畳表示制御手段により前記表示データ上に重畳して表示された追記データとその位置情報とを前記下敷検出手段により検出された電子下敷の下敷ＩＤと前記表示データのコンテンツＩＤとに対応付けて記憶し、
前記追記有無判断手段は、前記下敷検出手段により電子下敷に新たに装着されたことが検出された際に、当該電子下敷の下敷ＩＤと本電子ペーパに表示された表示データのコンテンツＩＤとに対応付けられた追記データが前記追記データ記憶手段により記憶されているか否かを判断し、
前記追記重畳再表示制御手段は、前記追記有無判断手段により前記電子下敷の下敷ＩＤと前記表示された表示データのコンテンツＩＤとに対応付けられた追記データが記憶されていると判断された場合に、当該追記データとその位置情報とを読み出し同追記データを前記表示された表示データ上の該当する位置に重畳して再表示させる、
ことを特徴とする請求項８に記載の電子ペーパ。
【請求項１０】
前記下敷検出手段により電子下敷に新たに装着されたことが検出された際に、本電子ペーパには予め任意のコンテンツの表示データが表示されている、
ことを特徴とする請求項９に記載の電子ペーパ。
【請求項１１】
前記下敷検出手段により電子下敷に新たに装着されたことが検出された際に、当該電子下敷から送信された表示データを受信するデータ受信手段と、
このデータ受信手段により受信された表示データを本電子ペーパに表示させるデータ表示制御手段とを備えた、
ことを特徴とする請求項９に記載の電子ペーパ。
【請求項１２】
前記下敷検出手段により電子下敷に装着された状態から外れたことが検出された際に、前記表示の状態を非表示に変更する非表示制御手段を備えた、
ことを特徴とする請求項８または請求項９に記載の電子ペーパ。
【請求項１３】
前記非表示制御手段は、前記下敷検出手段により電子下敷に装着された状態から外れたことが検出された際に、所定時間の経過後に前記表示の状態を非表示に変更する、
ことを特徴とする請求項１２に記載の電子ペーパ。
【発明の詳細な説明】
【技術分野】
【０００１】
本発明は、紙状の不揮発性表示装置を用いた電子ペーパに所望の情報を記録・表示させるための電子下敷装置およびその電子ペーパに関する。
【背景技術】
【０００２】
近年、電子ペーパと称される紙状の不揮発性表示装置が開発されている。この電子ペーパは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる（例えば、特許文献１〜３参照。）。
【０００３】
出願人は、電子ペーパを下敷に載せて手書き記入することで電子ペーパ上に手書き内容を表示できるようにした電子ペーパ記録装置の特許出願を行った（例えば、特許文献４参照。）。
【０００４】
この電子ペーパ記録装置では、下敷とペーパとの組合せをシンクライアントとしたサーバクライアントシステムにおいて、サーバには、当該下敷とペーパとの組合せに対応したデフォルトの画面データが予め生成されて記憶されており（仮想ペーパクライアント）、下敷にペーパを載せることでその組合せに対応する画面データを読み出して表示できる。そして、ペーパの画面データ上で手書き記入を行った場合には、その手書き軌跡を含めた画面データをサーバ上で更新できるようにしている。
【先行技術文献】
【特許文献】
【０００５】
【特許文献１】特開２００６−０３９８３４号公報
【特許文献２】特開２００１−３１２２２７号公報
【特許文献３】特開２００３−０５８０８１号公報
【特許文献４】特開２００７−３２３３６５号公報
【発明の概要】
【発明が解決しようとする課題】
【０００６】
しかしながら、前記従来の電子ペーパ記録装置では、下敷とペーパとの組合せ毎に、手書きデータも含めた画面データをサーバ上で記憶しておく必要があり、その組合せの数が多くなった場合には、サーバ上で保存するデータ容量が膨大になる。
【０００７】
また、上記画面データ上に追記した手書きデータが重要なコメントであったり、秘密性の高いコメントであったりした場合に、その手書きのコメントも合わせて画面データとしてサーバ上に記憶されるとなると、セキュリティ面で問題になる可能性も高い。
【０００８】
本発明は、このような課題に鑑みてなされたもので、サーバ上でのデータ容量やセキュリティ面での問題が生じることなく、電子ペーパの表示コンテンツに、載せた下敷に応じた追記データを再表示させることが可能になる電子下敷装置および電子ペーパを提供することを目的とする。
【課題を解決するための手段】
【０００９】
本発明に係る電子下敷装置は、電子ペーパが着脱自在に装着される電子下敷装置であって、電子ペーパが装着されたことを検出するペーパ検出手段と、このペーパ検出手段により検出されている電子ペーパに任意のコンテンツの表示データが表示されている状態で、ユーザ操作位置に応じたデータを追記データとして前記電子ペーパに表示されている表示データ上に重畳して表示させる追記重畳表示制御手段と、この追記重畳表示制御手段により前記電子ペーパに表示されている表示データ上に重畳して表示された追記データとその位置情報とを当該表示データのコンテンツＩＤに対応付けて記憶する追記データ記憶手段と、前記ペーパ検出手段により電子ペーパが新たに装着されたことが検出された際に、当該電子ペーパに表示された表示データのコンテンツＩＤに対応付けられた追記データが前記追記データ記憶手段により記憶されているか否かを判断する追記有無判断手段と、この追記有無判断手段により前記表示データのコンテンツＩＤに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、を備えたことを特徴としている。
【００１０】
本発明に係る電子ペーパは、電子下敷に着脱自在に装着され任意のコンテンツの表示データを表示する電子ペーパであって、電子下敷に装着されたことを検出する下敷検出手段と、この下敷検出手段により電子下敷に装着されたことが検出され任意のコンテンツの表示データが表示されている状態で、ユーザ操作位置に応じたデータを追記データとして前記表示されている表示データ上に重畳して表示させる追記重畳表示制御手段と、この追記重畳表示制御手段により前記表示データ上に重畳して表示された追記データとその位置情報とを前記下敷検出手段により検出された電子下敷の下敷ＩＤに対応付けて記憶する追記データ記憶手段と、前記下敷検出手段により電子下敷に新たに装着されたことが検出された際に、当該電子下敷の下敷ＩＤに対応付けられた追記データが前記追記データ記憶手段により記憶されているか否かを判断する追記有無判断手段と、この追記有無判断手段により前記電子下敷の下敷ＩＤに対応付けられた追記データが記憶されていると判断された場合に、当該追記データとその位置情報とを読み出し同追記データを本電子ペーパに表示されている表示データ上の該当する位置に重畳して再表示させる追記重畳再表示制御手段と、を備えたことを特徴としている。
【発明の効果】
【００１１】
本発明によれば、サーバ上でのデータ容量やセキュリティ面での問題が生じることなく、電子ペーパの表示コンテンツに、載せた下敷に応じた追記データを再表示させることが可能になる。
【図面の簡単な説明】
【００１２】
【図１】本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図６】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図７】前記電子ペーパ記録装置１０Ａ，１０ＢをネットワークＮ上のクラウドコンピューティングシステムの端末として組み込んだ場合の電子回路の構成を示すブロック図。
【図８】前記電子ペーパ記録装置１０Ａ，１０Ｂの第１実施形態の電子下敷１２Ｂ（１２Ａ）の情報記憶装置３０にて記憶管理される電子ペーパ管理テーブル（下敷）５４の内容を示す図。
【図９】前記電子ペーパ記録装置１０Ｂを端末としネットワーク（インターネット）Ｎ上の電子ペーパ管理サーバ５３にウェブアクセスベースで接続して使用する場合の構成例を示すブロック図。
【図１０】前記電子ペーパ管理サーバ５３の電子ペーパ管理部５８ｂにて記憶管理される電子ペーパ管理テーブル（サーバ）６２の内容を示す図。
【図１１】前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャート。
【図１２】前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャート。
【図１３】前記電子ペーパ記録装置１０Ａ，１０Ｂを端末として組み込んだクラウドコンピューティングシステムにおける電子ペーパ管理サーバ５３での処理を示すフローチャート。
【図１４】前記電子ペーパ記録装置（両面タイプ）１０Ｂの第２実施形態の電子ペーパ１１Ｂにて記憶管理される手書きデータ記憶部２１Ｈの内容を示す図。
【図１５】前記電子ペーパ記録装置（両面タイプ）１０Ｂの第２実施形態の電子ペーパ１１Ｂにおける処理を示すフローチャート。
【発明を実施するための形態】
【００１３】
以下図面により本発明の実施の形態について説明する。
【００１４】
（第１実施形態）
図１は、本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１５】
この電子ペーパ記録装置（片面タイプ）１０Ａは、その表面に不揮発性表示装置１７を有する複数枚の電子ペーパ（片面タイプ）１１Ａ…と、この複数枚の電子ペーパ１１Ａ…を重ねて載置する電子下敷（片面タイプ）１２Ａとを備え、各電子ペーパ１１Ａ…は電子下敷１２Ａの左側中央に設けられた片面バインダ部１３にその左辺中央を挟み込ませて綴じられる。
【００１６】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図６参照）を介して電子ペーパ１１Ａに内蔵された表示用の記憶装置に対し前記手書き位置の検出座標に対応した表示データ、あるいは外部の情報提供装置から取得された各種コンテンツの表示データを記憶させ、電子ペーパ１１Ａの不揮発性表示装置１７を表示動作させる。
【００１７】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００１８】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００１９】
図２は、本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００２０】
この電子ペーパ記録装置（両面タイプ）１０Ｂで使用する複数枚の電子ペーパ（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダ部１６によってそれぞれその一端部が貫通されて綴じられる。
【００２１】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図６参照）を介して電子ペーパ１１Ｂに内蔵された表示用の記憶装置に対し前記表面と裏面の各手書き位置の検出座標に対応した表示データ、あるいは外部の情報提供装置から取得された各種コンテンツの表示データを記憶させ、電子ペーパ１１Ｂをその両面の不揮発性表示装置１７Ｒ，１７Ｌで表示動作させる。
【００２２】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２３】
図３は、前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２４】
なお、表側から見た電子ペーパ（片面タイプ）１１Ａの構成と電子ペーパ（両面タイプ）１１Ｂの構成とは同じである。
【００２５】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１が表裏共用として内蔵される。
【００２６】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００２７】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００２８】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ２６ａ〜２６ｄが表裏共用として内蔵される。
【００２９】
図４は、前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００３０】
なお、正面から見た電子下敷（片面タイプ）１２Ａの構成と見開き型電子下敷１２Ｂの右面を見た構成とは同じである。
【００３１】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３２】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３３】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００３４】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００３５】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００３６】
図５は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００３７】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００３８】
なお、図５（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図５（Ａ１）において４２はバインダ部１３の綴じ込み力を有するヒンジである。
【００３９】
すなわち、電子ペーパ（片面タイプ）１１Ａ…の綴じ込み部１８にペーパ内コア４０…を設けた場合には、設けない場合に較べて、下敷側コア３９との間で当該ペーパ内コア４０…を介し磁気抵抗が低くなり漏れ磁束少なく磁束ループがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００４０】
図６は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４１】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図６（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４２】
また、図６（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図６（Ｂ）において４４は見開きバインダ部１６（３９ｂ）の綴じ込み力を有するヒンジである。
【００４３】
なお、図６で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００４４】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００４５】
一方、電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００４６】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００４７】
これにより、電子ペーパ１１Ａ（１１Ｂ）上での電子ペン１５での書き込み作業に伴い電子下敷１２Ａ（１２Ｂ）のタブレット１４によって検出される座標位置は、前記計算検出された電子ペーパ１１Ａ（１１Ｂ）の規定の載置位置からの位置ずれ量に応じて補正され、この補正後の書き込み座標位置に従って電子ペーパ１１Ａ（１１Ｂ）の通信部２３から（情報）記憶装置２１に対し書き込み軌跡の表示データが記憶され、不揮発性表示装置１７での手書きデータ表示が行われる。
【００４８】
また、例えば、電子下敷（両面タイプ）１２Ｂの左面のタブレット１４Ｌ上に１枚の電子ペーパ１１Ｂ（Ａ）が開かれ、また右面のタブレット１４Ｒ上には２枚の電子ペーパ１１Ｂが（Ｃ）→（Ｂ）の順に重ねられている状態では、左面のタブレット１４Ｌ上にある電子ペーパ１１Ｂ（Ａ）の裏面側重なり検出センサ２５Ｌに受光が検出され「重なり無し」と判別されると共に、キャリブレーションポインタ２６ａ〜２６ｄによってその座標位置がタブレット１４Ｌに検出されるので、当該電子ペーパ１１Ｂ（Ａ）は電子下敷（両面タイプ）１２Ｂの左面上で有効（アクティブ）と判別される。
【００４９】
また、右面のタブレット１４Ｒ上に重ねてある２枚の電子ペーパ１１Ｂ（Ｃ）（Ｂ）については、何れの電子ペーパ１１Ｂ（Ｃ）（Ｂ）もそのキャリブレーションポインタ２６ａ〜２６ｄによってタブレット１４Ｒに検出される一方で、電子ペーパ１１Ｂ（Ｂ）の表側重なり検出センサ２５Ｒにだけ受光が検出されて「重なり無し」と判別されるので、当該電子ペーパ１１Ｂ（Ｂ）は電子下敷（両面タイプ）１２Ｂの右面上で有効（アクティブ）と判別される。
【００５０】
なお、中立している電子ペーパ１１Ｂがある場合、表裏面側重なり検出センサ２５Ｒ，２５Ｌに受光が検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該中立の電子ペーパ１１Ｂは無効（非アクティブ）と判別される。
【００５１】
従って、電子下敷１２Ｂの制御装置２８では、その電磁誘導部を介して非接触で通信接続されている各電子ペーパ１１Ｂ…それぞれのＩＤ（Ａ）（Ｂ）（Ｃ）…に対応付けて、その表裏の重なり検出センサ２５Ｒ，２５Ｌによる重なり有無検出、キャリブレーションポインタ２６ａ〜２６ｄによるアクティブ有無検出、各ペーパサイズなどを収集管理することで、左右それぞれのタブレット１４Ｌ，１４Ｒ上にある有効（アクティブ）な電子ペーパ１１Ｂを判別でき、外部接続される情報端末から取得した各種コンテンツの表示データや前記左右のタブレット１４Ｌ，１４Ｒにて検出された電子ペン１５による手書きデータ、あるいは入力装置３１Ｌ，３１Ｒから入力された文字データ等を、前記電磁誘導部を介してその有効（アクティブ）な電子ペーパ１１ＢのＩＤを有する不揮発性表示装置１７Ｌ，１７Ｒに表示させることができる。
【００５２】
図７は、前記電子ペーパ記録装置１０Ａ，１０ＢをネットワークＮ上のクラウドコンピューティングシステムの端末として組み込んだ場合の電子回路の構成を示すブロック図である。
【００５３】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができ、またその表示データを、ネットワークＮ上の電子ペーパ管理サーバ５３により、ユーザＩＤ、ペーパＩＤ、下敷ＩＤと対応付けて登録し管理することができる。
【００５４】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄが接続される。
【００５５】
電子下敷１２Ｂ（１２Ａ）の電子回路は、前記図４を参照して説明したように、例えばフレキシブルＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００５６】
前記電子ペーパ１１Ａ（１１Ｂ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパ１１Ａ（１１Ｂ）…の電磁誘導電源部２２に電磁接続され、また電子下敷１２Ｂ（１２Ａ）の通信装置３７Ｒ，３７Ｌ（３７）が電子ペーパ１１Ａ（１１Ｂ）…の通信装置２３に電磁接続される。
【００５７】
そして、電子ペーパ１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ａ（１１Ｂ）…の載置位置が検出される。
【００５８】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００５９】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータを不揮発性表示装置１７（１７Ｒ，１７Ｌ）に表示させるための表示データなども記憶される。
【００６０】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ａ（１１Ｂ）…を管理するための管理情報（図８参照）の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続された情報提供サーバ５３Ｗ…や電子ペーパ管理サーバ５３からのテキスト・画像などの各種コンテンツの入力に応じたデータを現在有効（アクティブ）な電子ペーパ１１Ａ（１１Ｂ）へ送信して表示させるための表示データなども一時記憶される。
【００６１】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータをＬＣＤ表示装置４６にて表示できる。
【００６２】
ここで、前記電子下敷１２Ａ（１２Ｂ）の外部接続装置３３に外部接続されるネットワークＮ上の情報提供サーバ５３Ｗ…や電子ペーパ管理サーバ５３は、当該外部接続装置３３との有線通信又は無線通信により接続されるＰＣや携帯電話などの通信端末装置６１を中継して接続する構成としても良いし、直接接続する構成としても良い。
【００６３】
図８は、前記電子ペーパ記録装置１０Ａ，１０Ｂの第１実施形態の電子下敷１２Ｂ（１２Ａ）の情報記憶装置３０にて記憶管理される電子ペーパ管理テーブル（下敷）５４の内容を示す図である。
【００６４】
この電子ペーパ管理テーブル（下敷）５４には、電子下敷１２Ｂ（１２Ａ）のバインダ部１６（１３）に電子ペーパ１１Ａ（１１Ｂ）…が綴じられてタブレット１４Ｒ，１４Ｌ（１４）上に載置された際に、入力装置２４Ｒ（２４Ｌ）からユーザ入力されるユーザＩＤに対応付けられて、当該電子ペーパ１１Ａ（１１Ｂ）…のそれぞれから通信受信される当該各電子ペーパ１１Ａ（１１Ｂ）…の固有情報（電子ペーパＩＤ・表裏コード・サイズ）および重なり検出センサ２５（２５Ｒ，２５Ｌ）による重なり検出情報と、各電子ペーパ１１Ａ（１１Ｂ）…のキャリブレーションポインタ２６ａ〜２６ｄの位置がタブレット１４Ｒ，１４Ｌ（１４）により座標検出されることによって認識される手書き位置の補正情報および前記重なり検出情報を加えて判別されるアクティブ（有効）情報が記憶されると共に、各電子ペーパ１１Ａ（１１Ｂ）の表裏それぞれに表示されている表示情報（表示データのコンテンツＩＤ・手書きデータとその位置）も記憶される。
【００６５】
そして、電子ペーパ管理テーブル（下敷）５４に記憶される各種の情報のうち、前記重なり検出情報、手書き位置の補正情報、アクティブ（有効）情報については、リアルタイムに更新されて記憶される。
【００６６】
よって、この電子ペーパ管理テーブル５４に従って、電子下敷１２Ｂ（１２Ａ）の右面と左面とにおける現在有効（アクティブ）な電子ペーパ１１Ａ（１１Ｂ）を認識し、当該有効（アクティブ）な電子ペーパＩＤに基づいた操作信号の入力処理および表示データの表示処理、登録処理を実行する。
【００６７】
図９は、前記電子ペーパ記録装置１０Ｂを端末としネットワーク（インターネット）Ｎ上の電子ペーパ管理サーバ５３にウェブアクセスベースで接続して使用する場合の構成例を示すブロック図である。
【００６８】
電子ペーパ管理サーバ５３は、コンピュータであるＣＰＵからなる制御装置５６を備え、この制御装置５６を中心にして入力装置５７、記憶装置５８、表示装置５９が接続され、またネットワーク（インターネット）Ｎ上の端末（電子ペーパ記録装置１０Ｂ）と、ＰＣや携帯電話などの通信端末装置６１を介して、あるいは直接的に通信接続するための通信装置６０が接続される。
【００６９】
前記電子ペーパ管理サーバ５３の記憶装置５８には、電子ペーパ管理プログラム等の種々の制御情報を記憶管理するための情報管理部５８ａをはじめ、各端末（電子ペーパ記録装置１０Ｂ…）からの要求に応じて登録または配信すべきコンテンツなどの情報をユーザＩＤ、下敷ＩＤ、ペーパＩＤに対応付けて記憶管理するための電子ペーパ管理部５８ｂが確保される。
【００７０】
図１０は、前記電子ペーパ管理サーバ５３の電子ペーパ管理部５８ｂにて記憶管理される電子ペーパ管理テーブル（サーバ）６２の内容を示す図である。
【００７１】
この電子ペーパ管理テーブル（サーバ）６２には、ログインされた端末（電子ペーパ記録装置１０Ｂ）からの受信に応じて、当該受信されたユーザＩＤ、電子下敷ＩＤ、電子ペーパＩＤおよびその表裏コードとアクティブ（有効）情報、表裏それぞれの表示情報（コンテンツＩＤ・コンテンツ表示データ）が対応付けられて記憶される。
【００７２】
ここで、電子ペーパ管理テーブル（サーバ）６２に記憶される各種の情報のうち、前記電子ペーパ１１Ａ（１１Ｂ）のアクティブ（有効）情報についてはリアルタイムに更新されて記憶され、表示情報（コンテンツＩＤ・コンテンツ表示データ）は、登録要求の受信に応じて新規に又は更新されて記憶される。
【００７３】
次に、前記構成の電子ペーパ記録装置１０Ａ，１０Ｂをクラウドコンピューティングシステムの端末として組み込んだ場合（図７〜図１０参照）の動作について説明する。
【００７４】
図１１は、前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャートである。
【００７５】
図１２は、前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャートである。
【００７６】
図１３は、前記電子ペーパ記録装置１０Ａ，１０Ｂを端末として組み込んだクラウドコンピューティングシステムにおける電子ペーパ管理サーバ５３での処理を示すフローチャートである。
【００７７】
電子ペーパ記録装置（両面タイプ）１０Ｂの電子下敷（両面タイプ）１２Ｂにおいて、電子ペーパ（両面タイプ）１１Ｂが装着されたことが、バインダ部１６における電磁誘導電源供給部３５Ｒ，３５Ｌおよび通信装置３７Ｒ，３７Ｌでの接続検出に応じて制御装置２８に判断されると（ステップＳ０（Ｙｅｓ））、当該装着された電子ペーパ１１Ｂの不揮発性表示装置１７の所定の位置にユーザＩＤの登録を要求するメッセージが表示される。そして、入力装置２４のユーザ操作に応じてユーザＩＤが入力されると、情報記憶装置３０の電子ペーパ管理テーブル（下敷）５４（図８参照）に当該入力されたユーザＩＤが登録される（ステップＳ１）。
【００７８】
ここで、電子ペーパ１１Ｂの情報記憶装置２１に何らかのコンテンツの表示データが記憶されているか否かにより不揮発性表示装置１７に表示があるか否か判断される（ステップＳ２）。
【００７９】
電子ペーパ１１Ｂの不揮発性表示装置１７にコンテンツの表示が無いと判断されると（ステップＳ２（Ｎｏ））、当該電子ペーパ１１ＢのＩＤ記憶部２０から読み出された電子ペーパＩＤが、前記電子ペーパ管理テーブル（下敷）５４に登録されたユーザＩＤに対応付けられて既に登録されているか否か判断される（ステップＳ３）。
【００８０】
そして、前記電子ペーパ管理テーブル（下敷）５４のユーザＩＤに対応付けられて、電子ペーパ１１Ｂの電子ペーパＩＤが登録されていないと判断された後（ステップＳ３（Ｎｏ））、当該電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【００８１】
ここで、前記複数のコンテンツ表示データが受信済みでないと判断されると（ステップＳ５（Ｎｏ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、電子ペーパ１１Ｂの不揮発性表示装置１７に表示される（ステップＳ７）。
【００８２】
すると、電子ペーパ１１ＢのＩＤ記憶部２０から読み出された電子ペーパＩＤが、前記情報記憶装置３０の電子ペーパ管理テーブル（下敷）５４（図８参照）に登録されたユーザＩＤに対応付けられて登録されているか否か判断される（ステップＳ８）。
【００８３】
そして、前記電子ペーパ管理テーブル（下敷）５４のユーザＩＤに対応付けられて、電子ペーパ１１Ｂの電子ペーパＩＤが登録されていないと判断されると（ステップＳ８（Ｎｏ））、当該電子ペーパ管理テーブル（下敷）５４のユーザＩＤに対応付けられて、電子ペーパ１１ＢのＩＤ記憶部２０から読み出された電子ペーパＩＤ、同電子ペーパ１１Ｂの不揮発性表示装置１７に表示されているコンテンツ表示データのコンテンツＩＤが記憶される（ステップＳ９）。
【００８４】
具体的には、図８に示すように、例えばユーザＩＤ“１２３０１”、電子ペーパＩＤ“Ａ”のアクティブ（有効）な裏面“２”に対応付けられてコンテンツＩＤ“２０１”として記憶される。
【００８５】
さらに、前記電子ペーパ管理テーブル（下敷）５４に記憶されたユーザＩＤ、本電子下敷１２ＢのＩＤ記憶部２９から読み出された電子下敷ＩＤ、および電子ペーパ１１ＢのＩＤ記憶部２０から読み出された電子ペーパＩＤ、同電子ペーパ１１Ｂに表示されたコンテンツ表示データのＩＤとその表示データが、外部接続装置３３を介してネットワークＮ上の電子ペーパ管理サーバ５３へ送信され、その電子ペーパ管理テーブル（サーバ）６２（図１０参照）に登録される（ステップＳ１０）。
【００８６】
電子ペーパ管理サーバ５３において、前記電子下敷１２Ｂから送信されたユーザＩＤ、電子下敷ＩＤ、電子ペーパＩＤ、電子ペーパ１１Ｂに表示中のコンテンツＩＤとその表示データが受信されると（ステップＭ１（Ｙｅｓ））、電子ペーパ管理部５８ｂの電子ペーパ管理テーブル（サーバ）６２に、前記受信されたユーザＩＤ、電子下敷ＩＤ、電子ペーパＩＤを対応付けた管理データが既に登録されているか否か判断される（ステップＭ２）。
【００８７】
そして、電子ペーパ管理テーブル（サーバ）６２に、前記受信されたユーザＩＤ、電子下敷ＩＤ、電子ペーパＩＤを対応付けた管理データが登録されていないと判断されると（ステップＭ２（Ｎｏ））、当該受信されたユーザＩＤ、電子下敷ＩＤ、電子ペーパＩＤ、電子ペーパ１１Ｂに表示中のコンテンツＩＤとその表示データが対応付けられて新規登録される（ステップＭ３）。
【００８８】
具体的には、図１０に示すように、例えばユーザＩＤ“１２３０１”、電子下敷ＩＤ“あ”、電子ペーパＩＤ“Ａ”のアクティブ（有効）な裏面“２”に対応付けられてコンテンツＩＤ“２０１”、コンテンツ表示データ“Ｄ２０１”として登録される。
【００８９】
そして、前記電子下敷“あ”１２Ｂの電子ペーパ“Ａ”１１Ｂのアクティブ（有効）な裏面“２”にコンテンツＩＤ“２０１”の表示データ“Ｄ２０１”が表示されている状態で、電子ペン１５による手書きの入力がタブレット１４Ｌにより検出されると（ステップＳ１１（Ｙｅｓ））、前記電子ペーパ“Ａ”１１Ｂの裏面“２”に表示中のコンテンツ表示データ“Ｄ２０１”上に、当該手書き入力に伴う軌跡が重ねられて表示される（ステップＳ１２）。
【００９０】
そして、この手書き入力に伴う手書きデータとその位置情報は、本電子下敷“あ”１２Ｂの電子ペーパ管理テーブル（下敷）５４において、例えば、図８に示すように、前記ユーザＩＤ“１２３０１”、電子ペーパＩＤ“Ａ”のアクティブ（有効）な裏面“２”、コンテンツＩＤ“２０１”に対応付けられた手書きデータ”ＨＤＡ２１”とその位置情報“ＰＡ２１”として記憶される（ステップＳ１３）。
【００９１】
一方、前記電子下敷１２Ｂにおいて、電子ペーパ１１Ｂが装着されてユーザＩＤが登録された際に（ステップＳ０，Ｓ１）、当該電子ペーパ１１Ｂの不揮発性表示装置１７に既にコンテンツの表示がされていると判断された場合は（ステップＳ２（Ｙｅｓ））、前記登録されたユーザＩＤ、装着された電子ペーパ１１ＢのＩＤ記憶部２０から読み出された電子ペーパＩＤ、本電子下敷１２ＢのＩＤ記憶部２９から読み出された電子下敷ＩＤ、電子ペーパ１１Ｂの情報記憶装置２１から読み出された表示データとそのコンテンツＩＤが対応付けられてネットワークＮ上の電子ペーパ管理サーバ５３へ送信される（ステップＳ１４）。
【００９２】
またこれと共に、電子ペーパ管理テーブル（下敷）５４において、前記登録されたユーザＩＤに対応付けられて、前記装着された電子ペーパ１１Ｂの電子ペーパＩＤ、前記表示されている表示データのコンテンツＩＤが記憶される（ステップＳ１５）。
【００９３】
この際、電子ペーパ管理サーバ５３において、前記受信されたユーザＩＤ、電子下敷ＩＤ、電子ペーパＩＤを対応付けた管理データが電子ペーパ管理部５８ｂの電子ペーパ管理テーブル６２に登録されていないと判断された場合は（ステップＭ１，Ｍ２（Ｎｏ））、当該受信されたユーザＩＤ、電子下敷ＩＤ、電子ペーパＩＤ、電子ペーパ１１Ｂに表示中のコンテンツＩＤとその表示データが対応付けられて新規登録される（ステップＭ３）。
【００９４】
また一方、前記受信されたユーザＩＤ、電子下敷ＩＤ、電子ペーパＩＤを対応付けた管理データが前記電子ペーパ管理テーブル６２（図１０参照）に登録されていると判断された場合は（ステップＭ２（Ｙｅｓ））、当該ユーザＩＤ、電子下敷ＩＤ、電子ペーパＩＤの組み合わせに対応付けられて登録されているコンテンツＩＤと前記受信されたコンテンツＩＤとが異なる場合にコンテンツ表示データの更新と判断され（ステップＭ７（Ｙｅｓ））、同ユーザＩＤ、電子下敷ＩＤ、電子ペーパＩＤの組み合わせに対応付けられて、登録済みのコンテンツＩＤとその表示データが、前記受信されたコンテンツＩＤとその表示データに更新されて登録される（ステップＭ８）。
【００９５】
具体的には、図１０に示すように、例えばユーザＩＤ“１２３０１”、電子下敷ＩＤ“あ”、電子ペーパＩＤ“Ｂ”のアクティブ（有効）な表面“１”に対応付けられてコンテンツＩＤ“３０１”“３０２”“３０３”が登録されており、今回受信されたコンテンツＩＤが異なるＩＤ“３０４”である場合に、登録済みの最先のコンテンツＩＤ“３０１”とその表示データ“Ｄ３０１”が今回受信された最新のコンテンツＩＤ“３０４”とその表示データ“Ｄ３０４”に更新されて登録される。
【００９６】
そして、前記電子下敷“あ”１２Ｂの電子ペーパ“Ｂ”１１Ｂの表面“１”にコンテンツＩＤ“３０３”の表示データ“Ｄ３０３”が表示されている状態で、電子ペン１５による手書きの入力がタブレット１４Ｒにより検出されると（ステップＳ１１（Ｙｅｓ））、前記電子ペーパ“Ｂ”１１Ｂの表面“１”に表示中のコンテンツ表示データ“Ｄ３０３”上に、当該手書き入力に伴う軌跡が重ねられて表示される（ステップＳ１２）。
【００９７】
そして、この手書き入力に伴う手書きデータとその位置情報は、本電子下敷“あ”１２Ｂの電子ペーパ管理テーブル（下敷）５４において、例えば、図８に示すように、前記ユーザＩＤ“１２３０１”、電子ペーパＩＤ“Ｂ”のアクティブ（有効）な表面“１”、コンテンツＩＤ“３０３”に対応付けられた手書きデータ”ＨＤＢ１３”とその位置情報“ＰＢ１３”として記憶される（ステップＳ１３）。
【００９８】
一方、前記電子下敷１２Ｂにおいて、電子ペーパ１１Ｂが装着されてユーザＩＤが登録された際に（ステップＳ０，Ｓ１）、当該電子ペーパ１１Ｂの不揮発性表示装置１７にコンテンツの表示がされていないと判断された場合であって（ステップＳ２（Ｎｏ））、電子ペーパ管理テーブル（下敷）５４の前記登録されたユーザＩＤに対応付けられて、電子ペーパ１１ＢのＩＤ記憶部２０から読み出された電子ペーパＩＤが登録済みであると判断された場合には（ステップＳ３（Ｙｅｓ））、当該ユーザＩＤ、電子ペーパＩＤ、ＩＤ記憶部２９から読み出された電子下敷ＩＤが外部接続装置３３を介してネットワークＮ上の電子ペーパ管理サーバ５３へ送信される（ステップＳ１６）。
【００９９】
具体的には、例えば、図８に示すように、電子ペーパ管理テーブル（下敷）５４に登録済みのユーザＩＤ“１２３０１”、電子ペーパＩＤ“Ｂ”、および本電子下敷１２Ｂの電子下敷ＩＤ“あ”が電子ペーパ管理サーバ５３へ送信される。
【０１００】
電子ペーパ管理サーバ５３において、前記電子下敷１２Ｂから送信されたユーザＩＤ“１２３０１”、電子ペーパＩＤ“Ｂ”、電子下敷ＩＤ“あ”が受信された際に（ステップＭ１（Ｙｅｓ））、当該受信されたユーザＩＤ“１２３０１”、電子下敷ＩＤ“あ”、電子ペーパＩＤ“Ｂ”が、電子ペーパ管理テーブル（サーバ）６２（図１０参照）に登録済みであると判断されると（ステップＭ２（Ｙｅｓ））、前記受信データの中にコンテンツ表示データが含まれていないことで表示データの登録要求ではなく送信要求であると判断される（ステップＭ４（Ｙｅｓ））。
【０１０１】
すると、前記電子ペーパ管理テーブル（サーバ）６２において、前記電子下敷１２Ｂから受信されたユーザＩＤ“１２３０１”、電子下敷ＩＤ“あ”、電子ペーパＩＤ“Ｂ”のアクティブ（有効）な表面“１”に対応付けられて登録されている全てのコンテンツＩＤ“３０１”“３０２”“３０３”とコンテンツ表示データ“Ｄ３０１”“Ｄ３０２”“Ｄ３０３”が読み出され（ステップＭ５）、前記電子下敷“あ”１２Ｂへ送信される（ステップＭ６）。
【０１０２】
電子下敷“あ”１２Ｂにおいて、前記電子ペーパ管理サーバ５３から送信されたコンテンツＩＤ“３０１”“３０２”“３０３”とコンテンツ表示データ“Ｄ３０１”“Ｄ３０２”“Ｄ３０３”が受信されると（ステップＳ１７）、その最新のコンテンツ表示データ“Ｄ３０３”が電子ペーパ“Ｂ”１１Ｂの情報記憶装置２１に書き込まれ、アクティブ（有効）な表面“１”の不揮発性表示装置１７Ｒに表示される（ステップＳ１８）。なお、前記電子ペーパ管理サーバ５３からの受信データが、１つのコンテンツＩＤとコンテンツ表示データである場合には、その表示データが電子ペーパ１１Ｂの不揮発性表示装置１７に表示される。
【０１０３】
そして、前記ステップＳ３の処理に従い電子ペーパ管理テーブル（下敷）５４に登録済みと判断されたユーザＩＤ“１２３０１”、電子ペーパＩＤ“Ｂ”、および前記不揮発性表示装置１７Ｒに表示されたコンテンツ表示データ“Ｄ３０３”のＩＤ“３０３”に対応付けられた手書きデータ“ＨＤＢ１３”が登録されていると判断されると（ステップＳ１９（Ｙｅｓ））、当該手書きデータ“ＨＤＢ１３”がその位置情報“ＰＢ１３”に従い前記電子ペーパ“Ｂ”１１Ｂの表面“１”の不揮発性表示装置１７Ｒに表示中のコンテンツ表示データ“Ｄ３０３”上に重畳されて表示される（ステップＳ２０）。
【０１０４】
この後、電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【０１０５】
ここでは、前記ステップＳ１７において、電子ペーパ管理サーバ５３から３つのコンテンツＩＤ“３０１”“３０２”“３０３”とコンテンツ表示データ“Ｄ３０１”“Ｄ３０２”“Ｄ３０３”が受信済みであると判断され（ステップＳ５（Ｙｅｓ））、この複数のコンテンツ表示データ“Ｄ３０１”“Ｄ３０２”“Ｄ３０３”の選択項目に、外部からの取り込みを指示する選択項目を加えた表示選択メニューが前記電子ペーパ“Ｂ”１１Ｂの表面“１”の不揮発性表示装置１７Ｒにウインドウ表示される（ステップＳ２１）。
【０１０６】
そして、前記ウインドウ表示された表示選択メニューがユーザ操作に応じて選択されると（ステップＳ２２）、先ず、外部からの取り込みを指示する選択項目が選択されたか否か判断される（ステップＳ２３）。
【０１０７】
ここで、外部からの取り込みを指示する選択項目が選択されていないと判断された場合に（ステップＳ２３（Ｎｏ））、前記受信済みである複数のコンテンツ表示データ“Ｄ３０１”“Ｄ３０２”“Ｄ３０３”の何れかの選択項目が選択された場合には（ステップＳ２４）、当該選択された例えばコンテンツ表示データ“Ｄ３０１”が、電子ペーパ“Ｂ”１１Ｂの情報記憶装置２１に書き込まれ、前記コンテンツ表示データ“Ｄ３０３”が表示されているアクティブ（有効）な表面“１”の不揮発性表示装置１７Ｒに変更されて表示される（ステップＳ２５）。
【０１０８】
そして、ユーザ登録されたユーザＩＤ“１２３０１”、電子ペーパ１１Ｂの電子ペーパＩＤ“Ｂ”、前記選択表示されたコンテンツ表示データ“Ｄ３０１”のコンテンツＩＤ“３０１”に対応付けられて、電子ペーパ管理テーブル（下敷）５４（図８参照）に手書きデータ“ＨＤＢ１１”が登録されていると判断されると（ステップＳ２６（Ｙｅｓ））、当該手書きデータ“ＨＤＢ１１”がその位置情報“ＰＢ１１”に従い前記電子ペーパ“Ｂ”１１Ｂの表面“１”の不揮発性表示装置１７Ｒに表示中のコンテンツ表示データ“Ｄ３０１”上に重畳されて表示される（ステップＳ２７）。
【０１０９】
一方、前記ステップＳ２３において、前記ウインドウ表示された表示選択メニューから外部からの取り込みを指示する選択項目が選択されたと判断された場合は（ステップＳ２３（Ｙｅｓ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、前記電子ペーパ“Ｂ”１１Ｂの不揮発性表示装置１７Ｒに表示される（ステップＳ７）。
【０１１０】
ここで、当該電子ペーパ１１ＢのＩＤ記憶部２０から読み出された電子ペーパＩＤ“Ｂ”が、前記電子ペーパ管理テーブル（下敷）５４（図８参照）にユーザ登録されたユーザＩＤ“１２３０１”に対応付けられて登録されていると判断されると（ステップＳ８（Ｙｅｓ））、当該電子ペーパ管理テーブル（下敷）５４に登録済みのユーザＩＤ“１２３０１”、電子ペーパＩＤ“Ｂ”のアクティブ（有効）な表面“１”に対応付けられて、登録済みの最先のコンテンツＩＤ“３０１”が、前記ステップＳ６，Ｓ７にて新たに表示されたコンテンツ表示データのコンテンツＩＤ（例えば“３０４”）に更新されて記憶される（ステップＳ２８）。この際、更新されたコンテンツＩＤ“３０４”に対応するところの手書きデータ“ＨＤＢ１１”およびその位置情報“ＰＢ１１”は消去される。
【０１１１】
そして、前記ユーザＩＤ“１２３０１”、本電子下敷１２ＢのＩＤ記憶部２９から読み出された電子下敷ＩＤ“あ”、および電子ペーパ１１ＢのＩＤ記憶部２０から読み出された電子ペーパＩＤ“Ｂ”、同電子ペーパ１１Ｂに表示中のコンテンツＩＤ“３０４”とその表示データ（例えば“Ｄ３０４”）が、外部接続装置３３を介してネットワークＮ上の電子ペーパ管理サーバ５３へ送信され、その電子ペーパ管理テーブル（サーバ）６２に登録される（ステップＳ１０）。
【０１１２】
電子ペーパ管理サーバ５３において、前記電子下敷１２Ｂから受信されたユーザＩＤ“１２３０１”、電子下敷ＩＤ“あ”、電子ペーパＩＤ“Ｂ”を対応付けた管理データが電子ペーパ管理テーブル（サーバ）６２（図１０参照）に登録されていると判断されると（ステップＭ１，Ｍ２（Ｙｅｓ））、当該ユーザＩＤ“１２３０１”、電子下敷ＩＤ“あ”、電子ペーパＩＤ“Ｂ”のアクティブ（有効）な表面“１”の組み合わせに対応付けられて登録されているコンテンツＩＤ“３０１”“３０２”“３０２”と前記受信されたコンテンツＩＤ“３０４”とが異なることでコンテンツ表示データの更新と判断される（ステップＭ７（Ｙｅｓ））。
【０１１３】
すると、同電子ペーパ管理テーブル（サーバ）６２において、同ユーザＩＤ“１２３０１”、電子下敷ＩＤ“あ”、電子ペーパＩＤ“Ｂ”のアクティブ（有効）な表面“１”の組み合わせに対応付けられて、登録済みの最先のコンテンツＩＤ”３０１”とその表示データ“Ｄ３０１”が、前記受信されたコンテンツＩＤ“３０４”とその表示データ“Ｄ３０４”に更新されて登録される（ステップＭ８）。
【０１１４】
したがって、前記構成の電子ペーパ記録装置１０Ａ，１０Ｂによれば、電子下敷１２Ａ（１２Ｂ）において、タブレット１４上に装着された電子ペーパ１１Ａ（１１Ｂ）の不揮発性表示装置１７に任意のコンテンツ表示データが表示された状態で、ユーザ操作に応じた手書き入力（又は入力装置２４からの文字入力）が検出され、その手書きデータ（又は文字データ）が前記表示中のコンテンツ表示データ上に追記データとして重畳されて表示されると、前記電子ペーパ１１Ａ（１１Ｂ）に表示されたコンテンツ表示データのコンテンツＩＤに対応付けられて前記追記データとその位置情報が情報記憶装置３０の電子ペーパ管理テーブル（下敷）５４に登録される。そして、新たに電子ペーパ１１Ａ（１１Ｂ）の装着が検出された際に、当該電子ペーパ１１Ａ（１１Ｂ）に表示されたコンテンツ表示データのコンテンツＩＤに対応付けられた追記データが前記電子ペーパ管理テーブル（下敷）５４に登録されている場合には、当該追記データとその位置情報が読み出され、前記表示されたコンテンツ表示データ上に重畳されて再表示される。
【０１１５】
このため、ユーザは、電子下敷１２Ａ（１２Ｂ）に電子ペーパ１１Ａ（１１Ｂ）を載せ、以前に表示させたコンテンツ表示データを再表示させるだけで、この電子下敷１２Ａ（１２Ｂ）を使用して同コンテンツ表示データ上に以前にユーザ入力して重畳表示させた追記データを直ちに読み出して再表示できるようになる。よって、外部サーバ上でのデータ容量の問題やセキュリティ面での問題が生じることは無く、ユーザは特定の電子下敷１２Ａ（１２Ｂ）によってのみ、同コンテンツ表示データ上に追記した内容を再確認できる。
【０１１６】
また、前記構成の電子ペーパ記録装置１０Ａ，１０Ｂによれば、電子下敷１２Ａ（１２Ｂ）において、タブレット１４上に装着された電子ペーパ１１Ａ（１１Ｂ）上でのユーザ操作に応じた手書き入力（又は入力装置２４からの文字入力）が検出され、その手書きデータ（又は文字データ）が不揮発性表示装置１７に表示中のコンテンツ表示データ上に追記データとして重畳されて表示されると、前記電子ペーパ１１Ａ（１１Ｂ）のペーパＩＤに対応付けられて前記追記データとその位置情報が情報記憶装置３０の電子ペーパ管理テーブル（下敷）５４に登録される。そして、新たに電子ペーパ１１Ａ（１１Ｂ）の装着が検出された際に、当該電子ペーパ１１Ａ（１１Ｂ）のペーパＩＤに対応付けられた追記データが前記電子ペーパ管理テーブル（下敷）５４に登録されている場合には、当該追記データとその位置情報が読み出され、当該電子ペーパ１１Ａ（１１Ｂ）に表示中のコンテンツ表示データ上に重畳されて再表示される。
【０１１７】
このため、ユーザは、電子下敷１２Ａ（１２Ｂ）に電子ペーパ１１Ａ（１１Ｂ）を載せるだけで、この電子下敷１２Ａ（１２Ｂ）を使用して当該電子ペーパ１１Ａ（１１Ｂ）に表示中のコンテンツ表示データ上に以前にユーザ入力して重畳表示させた追記データを直ちに読み出して再表示できるようになる。よって、外部サーバ上でのデータ容量の問題やセキュリティ面での問題が生じることは無く、ユーザはある特定の電子下敷１２Ａ（１２Ｂ）と電子ペーパ１１Ａ（１１Ｂ）との組み合わせによってのみ、当該電子ペーパ１１Ａ（１１Ｂ）の表示データ上にて追記した内容を再確認できる。
【０１１８】
また、前記構成の電子ペーパ記録装置１０Ａ，１０Ｂによれば、前記電子下敷１２Ａ（１２Ｂ）において、当該電子下敷１２Ａ（１２Ｂ）に装着された電子ペーパ１１Ａ（１１Ｂ）に表示されたコンテンツ表示データは、当該下敷ＩＤとペーパＩＤとに対応付けられて、外部接続される電子ペーパ管理サーバ５３の電子ペーパ管理テーブル（サーバ）６２に登録される。そして、新たに電子ペーパ１１Ａ（１１Ｂ）の装着が検出された際に、電子下敷１２Ａ（１２Ｂ）の下敷ＩＤと電子ペーパ１１Ａ（１１Ｂ）のペーパＩＤとを前記電子ペーパ管理サーバ５３へ送信し、当該下敷ＩＤとペーパＩＤとに対応付けられたコンテンツ表示データが前記電子ペーパ管理テーブル（サーバ）６２に登録されている場合には、そのコンテンツ表示データを受信して前記電子ペーパ１１Ａ（１１Ｂ）に再表示させる。すると、再表示されたコンテンツ表示データのコンテンツＩＤあるいは装着された電子ペーパ１１Ａ（１１Ｂ）のペーパＩＤに対応付けられて前記電子ペーパ管理テーブル（下敷）５４に登録されている追記データとその位置情報が読み出され、当該電子ペーパ１１Ａ（１１Ｂ）に表示中のコンテンツ表示データ上に重畳されて再表示される。
【０１１９】
このため、ユーザは、電子下敷１２Ａ（１２Ｂ）に電子ペーパ１１Ａ（１１Ｂ）を載せるだけで、その下敷ＩＤとペーパＩＤとに対応付けられて記憶管理されているコンテンツ表示データを直ちに再表示でき、しかも、このコンテンツ表示データ上に以前ユーザ入力して重畳表示させた追記データを直ちに読み出して再表示できるようになる。よって、ユーザはある特定の電子下敷１２Ａ（１２Ｂ）と電子ペーパ１１Ａ（１１Ｂ）との組み合わせによってのみ、当該電子ペーパ１１Ａ（１１Ｂ）に表示させたコンテンツ表示データとその追記データとを直ちに再確認できる。
【０１２０】
また、前記構成の電子ペーパ記録装置１０Ａ，１０Ｂによれば、電子下敷１２Ａ（１２Ｂ）において、タブレット１４上に装着された電子ペーパ１１Ａ（１１Ｂ）の不揮発性表示装置１７には、複数のコンテンツ表示データの中から選択された任意のコンテンツ表示データが表示され、このコンテンツ表示データ上での追記データとその位置情報は、当該電子ペーパ１１Ａ（１１Ｂ）のペーパＩＤと表示中のコンテンツ表示データのコンテンツＩＤとに対応付けられて前記電子ペーパ管理テーブル（下敷）５４に登録される。そして、新たに電子ペーパ１１Ａ（１１Ｂ）の装着が検出された際に、当該電子ペーパ１１Ａ（１１Ｂ）のペーパＩＤとそこに選択表示されたコンテンツ表示データのコンテンツＩＤとに対応付けられた追記データが前記電子ペーパ管理テーブル（下敷）５４に登録されている場合には、当該追記データとその位置情報が読み出され、前記選択表示されたコンテンツ表示データ上に重畳されて再表示される。
【０１２１】
このため、ユーザは、電子下敷１２Ａ（１２Ｂ）に電子ペーパ１１Ａ（１１Ｂ）を載せ、以前に表示させた任意のコンテンツ表示データを選択的に再表示させるだけで、当該電子下敷１２Ａ（１２Ｂ）と電子ペーパ１１Ａ（１１Ｂ）を使用して同コンテンツ表示データ上に以前にユーザ入力して重畳表示させた追記データを直ちに読み出して再表示できるようになる。よって、外部サーバ上でのデータ容量の問題やセキュリティ面での問題が生じることは無く、ユーザはある特定の電子下敷１２Ａ（１２Ｂ）と電子ペーパ１１Ａ（１１Ｂ）との組み合わせによってのみ、当該電子ペーパ１１Ａ（１１Ｂ）に表示させたコンテンツ表示データとその追記データとを直ちに再確認できる。
【０１２２】
なお、前記第１実施形態の電子ペーパ記録装置１０Ａ，１０Ｂでは、電子下敷１２Ａ（１２Ｂ）の電子ペーパ管理テーブル（下敷）５４において、装着された電子ペーパ１１Ａ（１１Ｂ）のペーパＩＤと、表示されたコンテンツ表示データのコンテンツＩＤと、追記表示された手書きデータとその位置情報とを対応付けて記憶し、ユーザが使用する電子下敷１２Ａ（１２Ｂ）に応じたコンテンツ表示データとその手書きデータとを再表示させる構成とした。
【０１２３】
これに対し、次の第２実施形態の電子ペーパ記録装置１０Ａ，１０Ｂにおいて説明するように、各電子ペーパ１１Ａ（１２Ｂ）…のそれぞれにおいて、当該電子ペーパ１１Ａ（１２Ｂ）を装着して使用した電子下敷１２Ａ（１２Ｂ）の下敷ＩＤと、表示されたコンテンツ表示データのコンテンツＩＤと、追記表示された手書きデータとその位置情報とを対応付けて記憶し、ユーザが使用する電子下敷１２Ａ（１２Ｂ）に応じたコンテンツ表示データとその手書きデータとを再表示させる構成としてもよい。
【０１２４】
（第２実施形態）
この第２実施形態の電子ペーパ記録装置１０Ａ，１０Ｂでは、電子ペーパ１１Ａ（１１Ｂ）の情報記憶装置２１に記憶領域を確保した手書きデータ記憶部２１Ｈ（図１４参照）において、下敷ＩＤとコンテンツＩＤとに対応付けた手書きデータとその位置情報を記憶し、当該電子ペーパ１１Ａ（１１Ｂ）での処理（図１５参照）において、前記手書きデータとその位置情報に関する記憶処理、判断処理、表示処理を行う。
【０１２５】
このため、前記電子下敷１２Ａ（１２Ｂ）の電子ペーパ管理テーブル（下敷）５４（図８参照）では、手書きデータとその位置情報は記憶しない。これに伴い、前記電子下敷１２Ａ（１２Ｂ）の処理（図１１、図１２参照）では、前記電子ペーパ管理テーブル（下敷）５４に対する手書きデータとその位置情報の記憶処理（ステップＳ１３）、手書きデータ有無の判断処理とその読み出し表示処理（ステップＳ１９，Ｓ２０／Ｓ２６，Ｓ２７）を行わない。
【０１２６】
図１４は、前記電子ペーパ記録装置（両面タイプ）１０Ｂの第２実施形態の電子ペーパ１１Ｂにて記憶管理される手書きデータ記憶部２１Ｈの内容を示す図である。
【０１２７】
この手書きデータ記憶部２１Ｈには、電子下敷１２Ｂに装着した際に、当該電子下敷１２Ｂの下敷ＩＤに対応付けられて、表示されたコンテンツ表示データのコンテンツＩＤ、当該コンテンツ表示データ上で手書き入力された手書きデータとその位置情報が記憶される。
【０１２８】
図１５は、前記電子ペーパ記録装置（両面タイプ）１０Ｂの第２実施形態の電子ペーパ１１Ｂにおける処理を示すフローチャートである。
【０１２９】
この電子ペーパ１１Ｂにおける処理は、情報記憶装置２１に記憶された制御プログラムに従い以下のように実行される。
【０１３０】
すなわち、電子ペーパ１１Ｂにおいて、当該電子ペーパ１１Ｂを電子下敷１２Ｂのタブレット１４上に載せて装着したことが、例えば電子下敷１２Ｂから電磁誘導電源部２２を介した電源供給に基づき検出されると（ステップＰ１（Ｙｅｓ））、同電子下敷１２ＢのＩＤ記憶部２９から読み出された下敷ＩＤが取得される（ステップＰ２）。
【０１３１】
ここで、情報記憶装置２１に不揮発性表示装置１７に対するコンテンツ表示データが記憶されているか否かにより表示中のコンテンツがあるか否かが判断される（ステップＰ３）。
【０１３２】
そして、表示中のコンテンツが無いと判断されると（ステップＰ３（Ｎｏ））、ＩＤ記憶部２０から読み出されたペーパＩＤが装着中の電子下敷１２Ｂへ送信される（ステップＰ４）。
【０１３３】
すると、電子下敷１２Ｂからコンテンツ表示データが受信されたか否か（ステップＰ５）、手書きデータが受信されたか否か（ステップＰ６）、電子下敷１２Ｂへの装着が検出されなくなったか否か（ステップＰ７）が判断される。
【０１３４】
そして、電子下敷１２Ｂにおける情報提供サーバ５３Ｗからのコンテンツ表示データの取得表示処理（ステップＳ６，Ｓ７）や電子ペーパ管理サーバ５３からのコンテンツ表示データの受信表示処理（ステップＳ１７，Ｓ１８／Ｓ２４，Ｓ２５）に応じて、当該電子下敷１２Ｂからのコンテンツ表示データが通信装置２３に受信されたと判断されると（ステップＰ５（Ｙｅｓ））、当該受信されたコンテンツ表示データは情報記憶装置２１に記憶され不揮発性表示装置１７に表示される（ステップＰ８）。
【０１３５】
すると、前記表示されたコンテンツ表示データのコンテンツＩＤが取得され（ステップＰ９）、前記下敷ＩＤとコンテンツＩＤとに対応付けられた手書きデータが手書きデータ記憶部２１Ｈ（図１４参照）に記憶されているか否か（ステップＰ１０）、あるいは電子下敷１２Ｂから手書きデータとその位置情報が受信されたか否か（ステップＰ６）が判断される。
【０１３６】
なお、前記ステップＰ３において、電子ペーパ１１Ｂの不揮発性表示装置１７に既に表示されているコンテンツ表示データが有ると判断された場合にも（ステップＰ３（Ｙｅｓ））、当該表示されているコンテンツ表示データのコンテンツＩＤが取得され（ステップＰ９）、前記下敷ＩＤとコンテンツＩＤとに対応付けられた手書きデータが手書きデータ記憶部２１Ｈ（図１４参照）に記憶されているか否か（ステップＰ１０）、あるいは電子下敷１２Ｂから手書きデータとその位置情報が受信されたか否か（ステップＰ６）が判断される。
【０１３７】
そして、電子ペーパ１１Ｂに表示されたコンテンツ表示データ上での手書き入力に応じた電子下敷１２Ｂでの手書きデータ表示処理（ステップＳ１１，Ｓ１２）に従い、当該電子下敷１２Ｂから手書きデータとその位置情報が受信されたと判断されると（ステップＰ６（Ｙｅｓ））、表示中のコンテンツ表示データ上に前記受信された手書きデータがその位置情報に応じて重畳されて表示される（ステップＰ１１）。
【０１３８】
すると、前記手書きデータとその位置情報は、前記下敷ＩＤとコンテンツＩＤとに対応付けられて前記手書きデータ記憶部２１Ｈ（図１４参照）に記憶され登録される（ステップＰ１２）。
【０１３９】
なおこの際、前記手書きデータ記憶部２１Ｈに前記下敷ＩＤとコンテンツＩＤとに対応付けられた手書きデータが既に記憶されている場合には、今回受信された手書きデータとその位置情報に更新されて記憶される。
【０１４０】
一方、前記ステップＰ１０において、装着中の電子下敷１２Ｂの下敷ＩＤと表示中のコンテンツ表示データのコンテンツＩＤとに対応付けられた手書きデータが手書きデータ記憶部２１Ｈ（図１４参照）に記憶されていると判断された場合には（ステップＰ１０（Ｙｅｓ））、当該手書きデータとその位置情報が読み出され、不揮発性表示装置１７に表示中のコンテンツ表示データ上に重畳されて表示される（ステップＰ１３）。
【０１４１】
この後、電子下敷１２Ｂから電子ペーパ１１Ｂが外されることで当該電子下敷１２Ｂが検出されなくなったと判断されると（ステップＰ７（Ｙｅｓ））、不揮発性表示装置１７に表示されているコンテンツ表示データと手書きデータは、一定時間の経過後に消去され非表示状態に変更される（ステップＰ１４）。
【０１４２】
したがって、前記構成の第２実施形態の電子ペーパ記録装置１０Ａ，１０Ｂによれば、電子下敷１２Ａ（１２Ｂ）のタブレット１４上に装着した電子ペーパ１１Ａ（１１Ｂ）において、手書きデータを入力して表示させると、前記電子下敷１２Ａ（１２Ｂ）の下敷ＩＤに対応付けられて、前記入力された手書きデータとその位置情報が手書きデータ記憶部２１Ｈに記憶される。電子下敷１２Ａ（１２Ｂ）に電子ペーパ１１Ａ（１１Ｂ）が新たに装着された際に、当該電子下敷１２Ａ（１２Ｂ）から取得された下敷ＩＤに対応付けられた手書きデータが前記手書きデータ記憶部２１Ｈに記憶されている場合には、その手書きデータと位置情報が読み出され、電子ペーパ１１Ａ（１１Ｂ）の不揮発性表示装置１７の前記位置情報に応じた位置に前記手書きデータが追記されて表示される。
【０１４３】
このため、ユーザは、電子下敷１２Ａ（１２Ｂ）に電子ペーパ１１Ａ（１１Ｂ）を載せるだけで、この電子下敷１２Ａ（１２Ｂ）を使用して以前に手書き入力して表示させた手書きデータを直ちに読み出して再表示できるようになる。よって、外部サーバ上でのデータ容量の問題やセキュリティ面での問題が生じることは無く、ユーザは特定の電子下敷１２Ａ（１２Ｂ）によってのみ、不揮発性表示装置１７の表示データ上で追記した内容を再確認できる。
【０１４４】
また、前記構成の第２実施形態の電子ペーパ記録装置１０Ａ，１０Ｂによれば、電子下敷１２Ａ（１２Ｂ）のタブレット１４上に装着した電子ペーパ１１Ａ（１１Ｂ）において、不揮発性表示装置１７に表示されているコンテンツ表示データあるいはペーパＩＤと下敷ＩＤとの組み合わせに対応して電子ペーパ管理サーバ５３から電子下敷１２Ａ（１２Ｂ）に読み出され当該電子ペーパ１１Ａ（１１Ｂ）に受信表示されたコンテンツ表示データ上で、手書きデータを入力して表示させると、当該電子下敷１２Ａ（１２Ｂ）の下敷ＩＤとコンテンツ表示データのコンテンツＩＤに対応付けられて、前記入力された手書きデータとその位置情報が手書きデータ記憶部２１Ｈに記憶される。電子下敷１２Ａ（１２Ｂ）に電子ペーパ１１Ａ（１１Ｂ）が新たに装着されコンテンツ表示データが表示された際に、その下敷ＩＤとコンテンツＩＤに対応付けられた手書きデータが前記手書きデータ記憶部２１Ｈに記憶されている場合には、その手書きデータと位置情報が読み出され、表示中のコンテンツ表示データ上の前記位置情報に応じた位置に前記手書きデータが追記されて表示される。
【０１４５】
このため、ユーザは、電子下敷１２Ａ（１２Ｂ）に電子ペーパ１１Ａ（１１Ｂ）を載せるだけで、この電子下敷１２Ａ（１２Ｂ）を使用して当該電子ペーパ１１Ａ（１１Ｂ）に表示させたコンテンツ表示データ上に以前にユーザ入力して重畳表示させた追記データを直ちに読み出して再表示できるようになる。よって、外部サーバ上でのデータ容量の問題やセキュリティ面での問題が生じることは無く、ユーザはある特定の電子下敷１２Ａ（１２Ｂ）と電子ペーパ１１Ａ（１１Ｂ）との組み合わせによってのみ、当該電子ペーパ１１Ａ（１１Ｂ）のコンテンツ表示データ上にて追記した内容を再確認できる。
【０１４６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１４７】
以下に、本願出願の当初の特許請求の範囲に記載された発明を付記する。
【０１４８】
［１］
電子ペーパが着脱自在に装着される電子下敷装置であって、
電子ペーパが装着されたことを検出するペーパ検出手段と、
このペーパ検出手段により検出されている電子ペーパに任意のコンテンツの表示データが表示されている状態で、ユーザ操作位置に応じたデータを追記データとして前記電子ペーパに表示されている表示データ上に重畳して表示させる追記重畳表示制御手段と、
この追記重畳表示制御手段により前記電子ペーパに表示されている表示データ上に重畳して表示された追記データとその位置情報とを当該表示データのコンテンツＩＤに対応付けて記憶する追記データ記憶手段と、
前記ペーパ検出手段により電子ペーパが新たに装着されたことが検出された際に、当該電子ペーパに表示された表示データのコンテンツＩＤに対応付けられた追記データが前記追記データ記憶手段により記憶されているか否かを判断する追記有無判断手段と、
この追記有無判断手段により前記表示データのコンテンツＩＤに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、
を備えたことを特徴とする電子下敷装置。
【０１４９】
［２］
電子ペーパが着脱自在に装着される電子下敷装置であって、
電子ペーパが装着されたことを検出するペーパ検出手段と、
このペーパ検出手段により検出されている電子ペーパに任意のコンテンツの表示データが表示されている状態で、ユーザ操作位置に応じたデータを追記データとして前記電子ペーパに表示されている表示データ上に重畳して表示させる追記重畳表示制御手段と、
この追記重畳表示制御手段により前記電子ペーパに表示されている表示データ上に重畳して表示された追記データとその位置情報とを当該電子ペーパのペーパＩＤに対応付けて記憶する追記データ記憶手段と、
前記ペーパ検出手段により電子ペーパが新たに装着されたことが検出された際に、当該電子ペーパのペーパＩＤに対応付けられた追記データが前記追記データ記憶手段により記憶されているか否かを判断する追記有無判断手段と、
この追記有無判断手段により前記ペーパＩＤに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、
を備えたことを特徴とする電子下敷装置。
【０１５０】
［３］
前記ペーパ検出手段により検出されている電子ペーパ上でのユーザ操作に応じた操作位置を検出する操作位置検出手段を備え、
前記追記重畳表示制御手段は、前記操作位置検出手段により検出された電子ペーパ上でのユーザ操作位置に応じたデータを追記データとして当該電子ペーパに表示されている表示データ上の該当する位置に重畳して表示させる、
ことを特徴とする［１］または［２］に記載の電子下敷装置。
【０１５１】
［４］
前記追記データ記憶手段は、前記追記重畳表示制御手段により前記電子ペーパに表示されている表示データ上に重畳して表示された追記データとその位置情報とを、前記操作位置検出手段により検出された電子ペーパ上でのユーザ操作位置に応じて記憶する、
ことを特徴とする［３］に記載の電子下敷装置。
【０１５２】
［５］
前記ペーパ検出手段により電子ペーパが新たに装着されたことが検出された際に、当該新たに装着された電子ペーパには予め表示データが表示されている、
ことを特徴とする［１］または［２］に記載の電子下敷装置。
【０１５３】
［６］
前記ペーパ検出手段により検出されている電子ペーパに任意のコンテンツの表示データが表示されている状態で、本電子下敷装置の下敷ＩＤと電子ペーパのペーパＩＤと当該表示データとを対応付けて外部接続されるサーバ装置へ送信して登録させる表示データ登録手段と、
前記ペーパ検出手段により電子ペーパが新たに装着されたことが検出された際に、本電子下敷装置の下敷ＩＤと当該電子ペーパのペーパＩＤとを前記サーバ装置へ送信するＩＤ送信手段と、
このＩＤ送信手段により送信された前記下敷ＩＤとペーパＩＤとに対応付けられて前記サーバ装置に登録されている表示データを受信する登録データ受信手段と、
この登録データ受信手段により受信された表示データを前記新たに装着された電子ペーパに表示させる登録データ表示制御手段とを備えた、
ことを特徴とする［１］または［２］に記載の電子下敷装置。
【０１５４】
［７］
電子ペーパが着脱自在に装着される電子下敷装置であって、
電子ペーパが装着されたことを検出するペーパ検出手段と、
このペーパ検出手段により検出されている電子ペーパに複数のコンテンツの何れかの表示データを表示させるデータ表示制御手段と、
このデータ表示制御手段により前記電子ペーパに任意のコンテンツの表示データが表示されている状態で、ユーザ操作位置に応じたデータを追記データとして前記電子ペーパに表示されている表示データ上に重畳して表示させる追記重畳表示制御手段と、
この追記重畳表示制御手段により前記電子ペーパに表示されている表示データ上に重畳して表示された追記データとその位置情報とを当該電子ペーパのペーパＩＤと表示データのコンテンツＩＤとに対応付けて記憶する追記データ記憶手段と、
前記ペーパ検出手段により電子ペーパが新たに装着されたことが検出された際に、前記データ表示制御手段により当該電子ペーパに表示された表示データのコンテンツＩＤと同電子ペーパのペーパＩＤとに対応付けられた追記データが前記追記データ記憶手段により記憶されているか否かを判断する追記有無判断手段と、
この追記有無判断手段により前記表示データのコンテンツＩＤと前記電子ペーパのペーパＩＤとに対応付けられた追記データが記憶されていると判断された場合に、当該追記データとその位置情報とを読み出し同追記データを前記電子ペーパに表示されている表示データ上の該当する位置に重畳して再表示させる追記重畳再表示制御手段と、
を備えたことを特徴とする電子下敷装置。
【０１５５】
［８］
電子下敷に着脱自在に装着され任意のコンテンツの表示データを表示する電子ペーパであって、
電子下敷に装着されたことを検出する下敷検出手段と、
この下敷検出手段により電子下敷に装着されたことが検出され任意のコンテンツの表示データが表示されている状態で、ユーザ操作位置に応じたデータを追記データとして前記表示されている表示データ上に重畳して表示させる追記重畳表示制御手段と、
この追記重畳表示制御手段により前記表示データ上に重畳して表示された追記データとその位置情報とを前記下敷検出手段により検出された電子下敷の下敷ＩＤに対応付けて記憶する追記データ記憶手段と、
前記下敷検出手段により電子下敷に新たに装着されたことが検出された際に、当該電子下敷の下敷ＩＤに対応付けられた追記データが前記追記データ記憶手段により記憶されているか否かを判断する追記有無判断手段と、
この追記有無判断手段により前記電子下敷の下敷ＩＤに対応付けられた追記データが記憶されていると判断された場合に、当該追記データとその位置情報とを読み出し同追記データを本電子ペーパに表示されている表示データ上の該当する位置に重畳して再表示させる追記重畳再表示制御手段と、
を備えたことを特徴とする電子ペーパ。
【０１５６】
［９］
前記追記データ記憶手段は、前記追記重畳表示制御手段により前記表示データ上に重畳して表示された追記データとその位置情報とを前記下敷検出手段により検出された電子下敷の下敷ＩＤと前記表示データのコンテンツＩＤとに対応付けて記憶し、
前記追記有無判断手段は、前記下敷検出手段により電子下敷に新たに装着されたことが検出された際に、当該電子下敷の下敷ＩＤと本電子ペーパに表示された表示データのコンテンツＩＤとに対応付けられた追記データが前記追記データ記憶手段により記憶されているか否かを判断し、
前記追記重畳再表示制御手段は、前記追記有無判断手段により前記電子下敷の下敷ＩＤと前記表示された表示データのコンテンツＩＤとに対応付けられた追記データが記憶されていると判断された場合に、当該追記データとその位置情報とを読み出し同追記データを前記表示された表示データ上の該当する位置に重畳して再表示させる、
ことを特徴とする［８］に記載の電子ペーパ。
【０１５７】
［１０］
前記下敷検出手段により電子下敷に新たに装着されたことが検出された際に、本電子ペーパには予め任意のコンテンツの表示データが表示されている、
ことを特徴とする［９］に記載の電子ペーパ。
【０１５８】
［１１］
前記下敷検出手段により電子下敷に新たに装着されたことが検出された際に、当該電子下敷から送信された表示データを受信するデータ受信手段と、
このデータ受信手段により受信された表示データを本電子ペーパに表示させるデータ表示制御手段とを備えた、
ことを特徴とする［９］に記載の電子ペーパ。
【０１５９】
［１２］
前記下敷検出手段により電子下敷に装着された状態から外れたことが検出された際に、前記表示の状態を非表示に変更する非表示制御手段を備えた、
ことを特徴とする［８］または［９］に記載の電子ペーパ。
【０１６０】
［１３］
前記非表示制御手段は、前記下敷検出手段により電子下敷に装着された状態から外れたことが検出された際に、所定時間の経過後に前記表示の状態を非表示に変更する、
ことを特徴とする［１２］に記載の電子ペーパ。
【符号の説明】
【０１６１】
１０Ａ…電子ペーパ記録装置（片面タイプ）
１０Ｂ…電子ペーパ記録装置（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
２１Ｈ…電子ペーパの手書きデータ記憶部
５３  …電子ペーパ管理サーバ
５３Ｗ…情報提供サーバ
５４  電子ペーパ管理テーブル（下敷）
５６  …サーバ制御装置
５７  …サーバ入力装置
５８  …サーバ記憶装置
５８ａ…情報管理部
５８ｂ…電子ペーパ管理部
５９  …サーバ表示装置
６０  …通信装置
６１  …通信端末装置
６２  …電子ペーパ管理テーブル（サーバ）
【図１】
2014049033.tif 000003
【図２】
2014049033.tif 000004
【図３】
2014049033.tif 000005
【図４】
2014049033.tif 000006
【図５】
2014049033.tif 000007
【図６】
2014049033.tif 000008
【図７】
2014049033.tif 000009
【図８】
2014049033.tif 000010
【図９】
2014049033.tif 000011
【図１０】
2014049033.tif 000012
【図１１】
2014049033.tif 000013
【図１２】
2014049033.tif 000014
【図１３】
2014049033.tif 000015
【図１４】
2014049033.tif 000016
【図１５】
2014049033.tif 000017